(57)【要約】【課題】アナログレコード再生の音質を大幅に向上させることができる、ディスクスタビライザを提供する。【解決手段】第１スタビライザ２および第２スタビライザ３は、円筒状の外周面２３，３３を有している。第１スタビライザ２には、第１軸穴２４が外周面２３の中心軸線上に形成されている。第２スタビライザ３には、第２軸穴３５が外周面３３の中心軸線上に形成されている。第１軸穴２４にアナログレコードプレーヤのターンテーブル４の軸６が挿通された状態で、第１スタビライザ２がターンテーブル４上に載置される。そして、レコードディスク７の穴にターンテーブル４の軸６挿通されて、そのレコードディスク７が第１スタビライザ２上に載置される。第２スタビライザ３は、レコードディスク７の穴に挿通された軸６が第２軸穴３５に挿入された状態で、レコードディスク７上に載置される。【選択図】図６
2014142983.tif 000002
【特許請求の範囲】
【請求項１】
アナログレコード再生に使用されるディスクスタビライザであって、
円筒状の外周面を有し、当該外周面の中心軸線上に第１軸穴が形成された第１スタビライザと、
円筒状の外周面を有し、当該外周面の中心軸線上に第２軸穴が形成された第２スタビライザとを含み、
前記第１軸穴にアナログレコードプレーヤのターンテーブルの軸が挿通された状態で、前記第１スタビライザが前記ターンテーブル上に載置され、前記第１スタビライザ上に載置されたレコードディスク上に前記第２スタビライザが載置されて、前記レコードディスクの穴に挿通された前記軸が前記第２軸穴に挿入された状態で使用される、ディスクスタビライザ。
【請求項２】
前記第１スタビライザは、前記第１軸穴が中心軸線上に形成された第１本体部と、前記第１本体部の周縁に沿って形成され、前記第１本体部の一方端面から突出した第１環状壁部とを備え、
前記第２スタビライザは、前記第２軸穴が中心軸線上に形成され、前記第１本体部よりも小さい外径を有する第２本体部と、前記第２本体部の周縁に沿って形成され、前記第２本体部の一方端面から突出した第２環状壁部とを備え、
前記第１スタビライザは、前記第１環状壁部を上方に向けた状態で使用され、
前記第２スタビライザは、前記第２環状壁部を下方に向けた状態で使用される、請求項１に記載のディスクスタビライザ。
【発明の詳細な説明】
【技術分野】
【０００１】
本発明は、アナログレコード再生に使用されるディスクスタビライザに関する。
【背景技術】
【０００２】
アナログレコード再生は、音楽愛好家に依然として根強い人気がある。
【０００３】
アナログレコードプレーヤのターンテーブル上には、一般に、ゴム製のターンテーブルシートが設けられている。レコードディスク（レコード盤）は、その中央に形成されている穴にターンテーブルの軸が挿通された状態で、ターンテーブルシート上に載置される。ターンテーブルの回転に伴って、レコードディスクが回転し、レコード針がレコードディスクに形成されている溝をたどって進行する。レコード針が溝に形成されている凹凸によって振動し、その振動が電気信号に変換される。電気信号は、アンプで増幅されて、スピーカに入力される。これにより、スピーカから音が出力され、アナログレコード再生が達成される。
【０００４】
音楽愛好家には、アナログレコード再生の音質にシビアな人が多く、アナログレコード再生にディスクスタビライザを使用する人がいる。
【０００５】
ディスクスタビライザは、適当な重量を有している。ディスクスタビライザの底面には、ターンテーブルの軸を挿入するための穴が形成されている。その穴にターンテーブルの軸が挿入された状態で、ディスクスタビライザがレコードディスクの中央のレーベル上に載置される。ディスクスタビライザの重量により、レコードディスクがターンテーブルシートに密着する。これにより、ターンテーブルに対するレコードディスクの滑りを防止でき、レコードディスクの回転むらの発生を抑制することができる。また、レコードディスクの反りを矯正することができ、レコードディスクに対するレコード針の圧を一定にすることができる。その結果、ディスクスタビライザを使用しない場合と比較して、アナログレコード再生の音質を向上させることができる。
【先行技術文献】
【特許文献】
【０００６】
【特許文献１】特開２００３−２７２１０１号公報
【発明の概要】
【発明が解決しようとする課題】
【０００７】
しかしながら、従来のディスクスタビライザを使用しても、レコード針の振動がターンテーブルシートで吸収されるため、アナログレコード再生の音質を大幅には向上させることができない。
【０００８】
本発明の目的は、アナログレコード再生の音質を大幅に向上させることができる、ディスクスタビライザを提供することである。
【課題を解決するための手段】
【０００９】
前記の目的を達成するため、本発明に係るディスクスタビライザは、アナログレコード再生に使用されるディスクスタビライザであって、円筒状の外周面を有し、当該外周面の中心軸線上に第１軸穴が形成された第１スタビライザと、円筒状の外周面を有し、当該外周面の中心軸線上に第２軸穴が形成された第２スタビライザとを含み、前記第１軸穴にアナログレコードプレーヤのターンテーブルの軸が挿通された状態で、前記第１スタビライザが前記ターンテーブル上に載置され、前記第１スタビライザ上に載置されたレコードディスク上に前記第２スタビライザが載置されて、前記レコードディスクの穴に挿通された前記軸が前記第２軸穴に挿入された状態で使用される。
【００１０】
この構成によれば、ディスクスタビライザは、第１スタビライザおよび第２スタビライザを含む。第１スタビライザおよび第２スタビライザは、円筒状の外周面を有している。第１スタビライザには、第１軸穴が外周面の中心軸線上に形成されている。第２スタビライザには、第２軸穴が外周面の中心軸線上に形成されている。
【００１１】
第１軸穴にアナログレコードプレーヤのターンテーブルの軸が挿通された状態で、第１スタビライザがターンテーブル上に載置される。そして、レコードディスクの穴にターンテーブルの軸が挿通されて、そのレコードディスクが第１スタビライザ上に載置される。第２スタビライザは、レコードディスクの穴に挿通された軸が第２軸穴に挿入された状態で、レコードディスク上に載置される。
【００１２】
第２スタビライザの重量により、レコードディスクが第１スタビライザに押圧される。これにより、レコードディスクは、第１スタビライザと第２スタビライザとにより、強固に挟持される。また、第１スタビライザおよび第２スタビライザの合計重量により、第２スタビライザがターンテーブルに強く押しつけられる。その結果、レコードディスクと第１スタビライザとの相対的な滑りおよびターンテーブルと第２スタビライザとの相対的な滑りを防止でき、レコードディスクの回転むらの発生を抑制することができる。
【００１３】
また、レコードディスクが第１スタビライザおよび第２スタビライザに挟まれることにより、レコードディスクの反りを矯正することができる。
【００１４】
さらに、レコードディスクとターンテーブルとの間に第１スタビライザが介在されることにより、レコードディスクは、ターンテーブルから浮いた状態に設けられる。そのため、ターンテーブルの上面にターンテーブルシートが設けられていても、レコード針の振動がターンテーブルシートに吸収されることを抑制できる。また、ターンテーブルシートが設けられている場合には、モータの振動などをターンテーブルシートで吸収されるので、その振動が第１スタビライザに伝達されることを抑制できる。
【００１５】
よって、ディスクスタビライザの使用により、アナログレコード再生の音質を大幅に向上させることができる。
【００１６】
また、第１スタビライザは、第１軸穴が中心軸線上に形成された第１本体部と、第１本体部の周縁に沿って形成され、第１本体部の一方端面から突出した第１環状壁部とを備え、第２スタビライザは、第２軸穴が中心軸線上に形成され、第１本体部よりも小さい外径を有する第２本体部と、第２本体部の周縁に沿って形成され、第２本体部の一方端面から突出した第２環状壁部とを備え、第１スタビライザは、第１環状壁部を上方に向けた状態で使用され、第２スタビライザは、第２環状壁部を下方に向けた状態で使用されることが望ましい。
【００１７】
この構成によれば、レコードディスクは、相対的に外側において、第１スタビライザの第１環状壁部から上向きの力を受け、相対的に内側において、第２スタビライザの第２環状壁部から下向きの力を受ける。そのため、第１環状壁部と第２環状壁部との間でレコードディスクに張力が付与され、その張力により、レコードディスクにおける第１環状壁部の外側に位置する部分は、外周縁に近づくほど上方に位置するように僅かに傾斜して平坦に延びる。そして、その部分にレコード針が置かれることにより、レコードディスクに対するレコード針の圧が一定になる。よって、アナログレコード再生の音質を一層向上させることができる。
【発明の効果】
【００１８】
本発明によれば、ディスクスタビライザの使用により、アナログレコード再生の音質を大幅に向上させることができる。
【図面の簡単な説明】
【００１９】
【図１】図１は、本発明の一実施形態に係るディスクスタビライザの斜視図である。
【図２】図２は、第１スタビライザの上側から見た斜視図である。
【図３】図３は、第１スタビライザの下側から見た斜視図である。
【図４】図４は、第２スタビライザの上側から見た斜視図である。
【図５】図５は、第２スタビライザの下側から見た斜視図である。
【図６】図６は、ディスクスタビライザの使用状態を示す断面図である。
【図７】図７は、レコードディスクにおける第１環状壁部および第２環状壁部に挟持されている部分を示す断面図である。
【発明を実施するための形態】
【００２０】
以下では、本発明の実施の形態について、添付図面を参照しつつ詳細に説明する。
【００２１】
図１は、本発明の一実施形態に係るディスクスタビライザの斜視図である。
【００２２】
ディスクスタビライザ１は、アナログレコード再生に使用されるものである。ディスクスタビライザ１は、第１スタビライザ２および第２スタビライザ３からなる。
【００２３】
図２は、第１スタビライザの上側から見た斜視図である。図３は、第１スタビライザの下側から見た斜視図である。
【００２４】
第１スタビライザ２は、鉄などの金属塊を切削加工することによって形成されている。第１スタビライザ２は、第１本体部２１および第１環状壁部２２を一体的に備えている。
【００２５】
第１本体部２１は、円筒状の外周面２３を有している。第１本体部２１には、外周面２３の中心軸線上に、アナログレコードプレーヤのターンテーブル４の軸６（図６参照）が挿通される第１軸穴２４が貫通して形成されている。
【００２６】
第１環状壁部２２は、第１本体部２１の上面の周縁に沿って形成され、第１本体部２１の上面から上方に突出する壁状をなしている。
【００２７】
第１スタビライザ２の外径（直径）は、たとえば、１００ｍｍである。第１スタビライザ２の高さは、たとえば、第１環状壁部２２を含めて、５ｍｍである。第１本体部２１の上面からの第１環状壁部２２の高さは、たとえば、２ｍｍである。第１環状壁部２２の幅は、たとえば、２ｍｍである。
【００２８】
図４は、第２スタビライザの上側から見た斜視図である。図５は、第２スタビライザの下側から見た斜視図である。
【００２９】
第２スタビライザ３は、金属塊を切削加工することにより形成されている。第２スタビライザ３は、第２本体部３１および第２環状壁部３２を一体的に備えている。
【００３０】
第２本体部３１は、円筒状の外周面３３を有している。外周面３３には、滑り止めのための複数本の溝３４が周方向に沿って形成されている。第２本体部３１には、外周面３３の中心軸線上に、アナログレコードプレーヤのターンテーブル４の軸６（図６参照）が挿通される第２軸穴３５が貫通して形成されている。
【００３１】
第２環状壁部３３は、第２本体部３１の下面の周縁に沿って形成され、第２本体部３１の下面から下方に突出する壁状をなしている。
【００３２】
第２スタビライザ３の外径（直径）は、たとえば、９０ｍｍである。第２スタビライザ３の高さは、たとえば、第２環状壁部３３を含めて、３９ｍｍである。第２本体部３１の下面からの第２環状壁部３３の高さは、たとえば、２ｍｍである。第２環状壁部３３の幅は、たとえば、２ｍｍである。第２スタビライザ３の重量は、たとえば、１．８ｋｇである。第２スタビライザ３の外径は、第１スタビライザ２の外径と比較して、たとえば、１０ｍｍ小さい。
【００３３】
図６は、ディスクスタビライザの使用状態を示す断面図である。図７は、レコードディスクにおける第１環状壁部および第２環状壁部に挟持されている部分を示す断面図である。
【００３４】
アナログレコードプレーヤのターンテーブル４の上面には、ゴム製のターンテーブルシート５が載置されている。
【００３５】
アナログレコード再生の際には、第１軸穴２４にアナログレコードプレーヤのターンテーブル４の軸６が挿通された状態で、第１スタビライザ２がターンテーブル４上に載置される。そして、レコードディスク７の穴にターンテーブル４の軸６が挿通されて、そのレコードディスク７が第１スタビライザ２上に載置される。第２スタビライザ３は、レコードディスク７の穴に挿通された軸６が第２軸穴３５に挿入された状態で、レコードディスク７上に載置される。
【００３６】
第２スタビライザ３の重量により、レコードディスク７が第１スタビライザ２に押圧される。これにより、レコードディスク７は、第１スタビライザ２と第２スタビライザ３とにより、強固に挟持される。また、第１スタビライザ２および第２スタビライザ３の合計重量により、第２スタビライザ３がターンテーブル４に強く押しつけられる。その結果、レコードディスク７と第１スタビライザ２との相対的な滑りおよびターンテーブル４と第２スタビライザ３との相対的な滑りを防止でき、レコードディスク７の回転むらの発生を抑制することができる。
【００３７】
また、レコードディスク７は、相対的に外側において、第１スタビライザ２の第１環状壁部２２から上向きの力を受け、相対的に内側において、第２スタビライザ３の第２環状壁部３２から下向きの力を受ける。そのため、第１環状壁部２２と第２環状壁部３２との間でレコードディスク７に張力が付与され、その張力により、レコードディスク７における第１環状壁部２２の外側に位置する部分は、外周縁に近づくほど上方に位置するように僅かに傾斜して平坦に延びる。これにより、レコードディスクの反りを矯正することができる。そして、その部分にレコード針が置かれることにより、レコードディスクに対するレコード針の圧を一定にすることができる。
【００３８】
さらに、レコードディスク７とターンテーブル４との間に第１スタビライザ２が介在されることにより、レコードディスク７は、ターンテーブル４から浮いた状態に設けられる。そのため、ターンテーブル４の上面にターンテーブルシート５が設けられていても、レコード針の振動がターンテーブルシート５に吸収されることを抑制できる。また、ターンテーブルシート５が設けられている場合には、モータの振動などがターンテーブルシート５で吸収されるので、その振動が第１スタビライザ２に伝達されることを抑制できる。
【００３９】
よって、ディスクスタビライザ１の使用により、アナログレコード再生の音質を大幅に向上させることができる。
【００４０】
＜変形例＞
【００４１】
以上、本発明の一実施形態について説明したが、本発明は、他の形態で実施することもできる。
【００４２】
たとえば、図１には、上面が平面に形成された第２スタビライザ３が示されているが、第２スタビライザ３の上面は、平面に限らず、半球面などの他の形状であってもよい。また、第２スタビライザ３の上面に、第２スタビライザ３の取り扱いを容易にするため、使用者の指で把持される把持部が形成されていてもよい。
【００４３】
また、第２軸穴３５は、第２スタビライザ３を上下方向に貫通していなくてもよく、第２スタビライザ３の下面に、ターンテーブル４の軸６を挿入可能な凹部として形成されていてもよい。
【００４４】
その他、前述の構成には、特許請求の範囲に記載された事項の範囲で種々の設計変更を施すことが可能である。
【符号の説明】
【００４５】
１    ディスクスタビライザ
２    第１スタビライザ
３    第２スタビライザ
４    ターンテーブル
６    軸
７    レコードディスク
２１  第１本体部
２２  第１環状壁部
２３  外周面
２４  第１軸穴
３１  第２本体部
３２  第２環状壁部
３３  外周面
３５  第２軸穴
【図１】
2014142983.tif 000003
【図２】
2014142983.tif 000004
【図３】
2014142983.tif 000005
【図４】
2014142983.tif 000006
【図５】
2014142983.tif 000007
【図６】
2014142983.tif 000008
【図７】
2014142983.tif 000009